(57)【要約】      （修正有）【課題】取り付けシステムの位置に起因して、用量分配容器の開口部を容器上に嵌合しかつ容器を保持するという設計制約が存在しないパッケージアセンブリを提供する。【解決手段】パッケージングアセンブリは、ａ．開口部を有する容器１と、ｂ．開口部を覆うように設計され、かつ取り付けシステムの一部を含む上面４と、底面５と、側壁６とを含むキャップ２と、ｃ．外面８と、取り付けシステムの第２の部分を含む内面９と、側壁１０とを含む、追加的かつ分離可能なカップとして構成された容量分配容器であるパッケージング要素３と、を備え、取り付けシステムは、協働する突起１１と溝７とを含む。【選択図】図１
0003196481.tif 000002
【実用新案登録請求の範囲】
【請求項１】
パッケージングアセンブリであって、
ａ．開口部を有する容器（１）と、
ｂ．前記開口部を覆うように設計され、上面（４）と、底面（５）と、側壁（６）と、を含むキャップ（２）であって、前記上面（４）が取付システムの第１部分を含んでいるというキャップ（２）と、
ｃ．外面（８）と、内面（９）と、側壁（１０）と、を含む追加的かつ分離可能なパッケージング要素（３）と、
を備え、
前記パッケージング要素（３）は、カップとして構成された容量分配容器であり、
前記内面（９）は、前記取付システム（１１）の第２部分を含んでおり、
前記容量分配容器の前記取付システム（１１）の前記第２部分は、前記カップの内側に位置づけられており、
前記取付システムは、協働する突起（１１）と溝（７）とを含んでいる
ことを特徴とするパッケージングアセンブリ。
【請求項２】
パッケージングアセンブリであって、
ａ．開口部を有する容器（１）と、
ｂ．前記開口部を覆うように設計され、上面（４）と、底面（５）と、側壁（６）と、を含むキャップ（２）であって、前記上面に突起または溝が設けられているというキャップ（２）と、
ｃ．外面（８）と、内面（９）と、側壁（１０）と、を含み前記キャップ（２）に対して分離可能なパッケージング要素（３）であって、前記内面に前記キャップ（２）の上面の突起または溝と協働してスナップビード係止システムを構成する溝または突起が設けられているというパッケージング要素（３）と、を備える、パッケージングアセンブリ。
【請求項３】
前記容器（１）は、箱、ボトル、タブまたはチューブである、請求項１または２に記載のパッケージングアセンブリ。
【請求項４】
前記キャップ（２）は、押し上げ式キャップである、請求項１〜３のいずれか一項に記載のパッケージングアセンブリ。
【請求項５】
前記パッケージング要素（３）は、接触縁部を含んでおり、
前記接触縁部は、前記パッケージング要素（３）と前記キャップ（２）の接続に使用されない、請求項１〜４のいずれか一項に記載のパッケージングアセンブリ。
【請求項６】
前記パッケージング要素（３）は、前記キャップ（２）から完全に分離可能である、請求項１〜５のいずれか一項に記載のパッケージングアセンブリ。
【請求項７】
前記キャップ（２）及び前記パッケージング要素（３）は、射出成形によって製造される、請求項１〜６のいずれか一項に記載のパッケージングアセンブリ。
【請求項８】
前記キャップ（２）及び前記パッケージング要素（３）は、ポリエチレン、ポリプロピレン、ポリウレタン、熱可塑性エラストマー、及びこれらの混合物から選択されるプラスチック材料を使用して製造される、請求項１〜７のいずれか一項に記載のパッケージングアセンブリ。
【考案の詳細な説明】
【技術分野】
【０００１】
本出願は汎用取り付けシステムに関し、パッケージング要素は、周辺要素の使用を必要とせずにパッケージに取り付けられることができる。
【背景技術】
【０００２】
本発明はパッケージングの分野に関し、特に、洗剤産業で用いるためのパッケージングに関するが、本発明のパッケージングアセンブリの多くの用途を想起することができ、したがって、本発明はこの分野に不必要に限定されるべきではない。
【０００３】
パッケージング容器は、用量分配デバイス（dosing device）などの追加のデバイスと共に販売されることが多い。消費者は、洗剤製品が分与引出を介して分配されるのではなく洗濯ドラムに直接加えられるとより良好に洗浄されたと認知することが一般に認められているので、用量分配デバイスが洗剤製造業者によって提供される。しかしながら、用量分配デバイスの提供には、用量分配デバイスが容器から分離して別々になる可能性があるという一般的な問題が存在する。そのため、消費者がパッケージを買おうとするときに、もはや用量分配デバイスを入手することができない。容器に対するパッケージング要素（用量分配デバイスなど）の改善された取り付けシステムを提供することが、本発明の目的であった。しかしながら、この目的を達成する際に、本出願人は更なる問題を解決した。前記取り付けシステムは、他の品目（例えば、ラベル又はハンドル機構など）を容器に取り付けるためにも使用することができる。
【０００４】
一般に、用量分配デバイスは、用量分配デバイスの開口部をボトル又はキャップの側壁に締め付けることによって、パッケージに取り付けられてきた。この構成は、用量分配デバイスが容易に取り外されるという点で、深刻な欠点を有する。しかしながら、これに加えて、用量分配デバイスの設計者は、用量分配デバイスの開口部をキャップ又はボトルの直径に厳密に合わせる必要性にも制約を受ける。そのため、本発明の取り付けシステムの更なる利点は、取り付けシステムの位置に起因して、用量分配デバイスの開口部を容器上に嵌合しかつ容器を保持するように成形するという設計制約がもはや存在しないことである。したがって、設計者は、用量分配デバイスの形状をより自由に設計することができる。
【考案の概要】
【課題を解決するための手段】
【０００５】
本発明によると、パッケージングアセンブリが提供され、該パッケージングアセンブリは、
ａ．開口部を有する容器（１）と、
ｂ．上記開口部を覆うように設計され、上面（４）と、底面（５）と、側壁（６）と、を含むキャップ（２）であって、前記上面が取り付けシステム（７）の一部分を含んでいるというキャップ（２）と、
ｃ．外面（８）と、内面（９）と、側壁（１０）と、を含む追加的かつ分離可能なパッケージング要素（３）であって、前記内面は取り付けシステム（１１）の第２の部分を含み、前記取り付けシステムは、協働する突起及び溝を含むというパッケージング要素（３）と、
を備える。
【図面の簡単な説明】
【０００６】
【図１】容器と、キャップと、用量分配デバイスパッケージング要素とを含む、本発明の断面図を提供する。
【図２】取り付け部品を有するキャップの斜視図を提供する。
【図３】容量分配容器パッケージング要素の斜視図を提供する。
【図４】容量分配容器パッケージング要素の底面図を提供する。
【図５】ラベルデバイス（label device）として使用される場合の本発明の斜視図を提供する。
【考案を実施するための形態】
【０００７】
本発明は、容器（１）に取り付けるためのシステムに関する。前記容器は、箱、タブ、チューブ、又はその他の好都合な容器であり得るが、好ましくはボトルである。前記容器は、そこを通して製品を分配する開口部と、該開口部を閉締するように設計された、取り外し可能な及び少なくとも部分的に取り外し可能なキャップ（２）とを有する。前記キャップ（２）は、上面（４）及び底面（５）と、側壁（６）とを含む。キャップ（２）の底面（５）は容器の内部空間に面し、上面（４）は直接反対側であり、したがって容器の内部空間とは反対側に面する。キャップの上面（４）は、取り付けシステム（７）の半分を含む。取り付けシステムは、溝（７）と突起（１１）とを含む。したがって、キャップ（２）は、溝又は突起のいずれかを含み、より好ましくは溝（７）を含む。
【０００８】
好ましくは、キャップ（２）は、容器取り付け部分とヒンジ式蓋とを含む押し上げ式キャップである。この実施形態では、取り付けシステムは、蓋の上面上にある。
【０００９】
本発明のパッケージングアセンブリは、追加的でかつ分離可能なパッケージング要素（３）を更に含む。好ましくは、パッケージング要素（３）は、キャップから完全に分離可能である。追加的なパッケージング要素（３）は、例えば、追加的な容器、連結デバイス、ラベル装着デバイス、又はこれらの組み合わせであってもよい。好ましくは、追加的なパッケージング要素（３）は用量分配デバイス容器である。パッケージング要素は、外面（８）及び内面（９）と、側壁（１０）とを含む。内面（９）はキャップ（２）と接触し、外面（８）は直接反対側である。パッケージング要素は、側壁（１０）、好ましくは接触縁部（１２）を有する。ここで言う接触縁部（１２）は、キャップ（２）又はボトル（１）と接触する縁部である。パッケージング要素の内面（９）は、取り付けシステム（１１）の第２の部分を含む。取り付けシステムは、溝と突起とを含む。したがって、パッケージング要素は、溝又は突起のいずれか、より好ましくは、突起（１１）を含む。パッケージング要素は、突起と溝との協働によって前記キャップに取り付け可能である。
【００１０】
好ましい実施形態において、キャップ（２）は溝（７）を含み、パッケージング要素（３）は突起（１１）を含む。この実施形態は、取り付けシステムの構成要素のより容易でより正確な整列が可能となるので好ましい。
【００１１】
パッケージング要素（３）は、好ましくは容量分配容器である。容量分配容器は、一般に、十分な量の製品を保持することができるように側面が十分に高いカップとして構成される。パッケージング要素の内面は、キャップに面している。パッケージング要素上の取り付けシステムの一部は、カップの底に位置してもよい。あるいは、パッケージング要素上の取り付けシステムの一部は、カップの内側に位置してもよい。この実施形態では、カップは、キャップに取り付けるために逆さにされる。パッケージング要素の接触縁部（１２）は、容器側壁（１０）の上部の自由縁部である。容量分配容器（３）が逆さにされてキャップ（２）に取り付けられる実施形態では、接触縁部（１２）は、用量分配デバイス壁の高さに応じて、キャップ若しくはボトルと接触してもよい、又はそれらのいずれとも接触しなくてもよい。この構造の利点は、まず第一に、容量分配容器を広口で製造することができ、それにより容量分配の精度及び容易さが改善される。第二に、設計者は、容量分配容器をキャップ及びボトルネックの上にしっかりと嵌合させるという必要性にもはや制約を受けることがないので、用量分配デバイス、キャップ、及びボトルの更なる設計の自由度がもたらされる。
【００１２】
取り付けシステムは、溝（７）と突起（１１）とを含む。これらの寸法及び形状は、最良の嵌合及び接続を達成するように調整される。好ましくは、溝及び突起は同心である。好ましくは、溝及び突起の上からの眺めは円形又は楕円形である。特に好ましい実施形態では、溝は、０．５ｍｍ〜１０ｍｍ、より好ましくは１ｍｍ〜７ｍｍ、より好ましくは２ｍｍ〜５ｍｍの深さを含む。突起は、明らかに溝と協働するように設計されるので、０．５ｍｍ〜１０ｍｍの高さ、より好ましくは１ｍｍ〜７ｍｍ、より好ましくは２ｍｍ〜５ｍｍの高さである。したがって、溝は、内壁及び外壁の２つの同心壁を含む。取り付けシステムは、溝壁と突起との間の摩擦の存在によってのみ機能し得る。しかしながら、好ましくは、取り付けシステムは、接触取り付けを改善するための係止システムを備えている。より好ましくは、前記係止システムは、スナップビード又はフック構成からなる。
【００１３】
スナップビード係止システムは、第１のビードを有する第１の表面と、第１のビードの上に押し付けられる第２の表面とを含む。表面と第１のビードとの間の摩擦は、係止システムを提供する。この構造はまた、ビードが互いに位相係止するように、第２の表面上に第２のビードを有することができる。本発明では、第１の表面には溝が提供され、第２の表面には突起が提供される。好ましくは、本発明のパッケージング要素は、第１のビードと第２のビードと備えるスナップビード係止システムを含む。
【００１４】
フック係止システムは、スナップビードと同じ方法で機能するが、ビードがフックに変更される点が異なる。
【００１５】
スナップビード又はフック係止システムは、溝の深さに沿った任意の好適な場所に設置され得る。ビード又はフックが突起上に存在する場合、突起の遠位端に位置決めされるのが好ましい。ビード又はフックは、溝の深さのおよそ半分の位置に位置決めされるのが好ましい。係止システムは、溝の内側又は外側に位置し得るが、好ましくは内壁上に位置決めされる。内壁は、キャップ又はパッケージング要素の中心により近い壁である。
【００１６】
キャップからパッケージング要素を取り外すのに必要な力は、本明細書では除去力と定義される。除去力は、製造業者のニーズに合わせて調整されることができる。スナップビードシステムの除去力を変更する方法としては、スナップビードの深さを増減させる、溝の深さに沿ったスナップビードの位置を上下させる、突起上の任意のビードの深さを増減させる、並びに突起及び／又はキャップを製造するのに使用される材料の可撓性を変更する、などが挙げられる。スナップビードシステムの除去力を変更する方法は、溝又は突起の角度を増減させることを含む。特定の好ましい実施形態において、取り付けシステムはスナップビード構造を含む。好ましくは、溝の中のスナップビードは、０．０５ｍｍ〜０．２５ｍｍ、より好ましくは０．０７ｍｍ及び０．２ｍｍ、より好ましくは０．１ｍｍ〜０．１５ｍｍの深さを呈する。あるいは、スナップビード構造システムにおける除去力は、突起上に第２のビードを組み込むことによって変化させてもよい。突起上のビードはまた、０．０５ｍｍ〜０．２５ｍｍ、好ましくは０．０７ｍｍ〜０．２ｍｍ、より好ましくは０．１ｍｍ〜０．１５ｍｍの深さを有してもよい。
【００１７】
取り付けシステムの除去力は、３Ｎ〜１５０Ｎの範囲内であるのが好ましい。より好ましくは、用量分配容器の除去力は、３Ｎ〜１０Ｎ、より好ましくは３．５Ｎ〜９Ｎ、より好ましくは５Ｎ〜９Ｎの範囲内である。この範囲は、パッケージングアセンブリが移送に耐えるのに十分であると同時に、消費者にとって許容可能な除去力である。
【００１８】
より好ましくは、キャップ（２）及びパッケージング要素（３）は、任意の好適なプラスチック材料を使用して製造される。キャップ及びパッケージング要素は、同じ又は異なる材料から製造されてもよい。好ましいプラスチック材料は、ポリプロピレン、ポリエチレン、ポリウレタン、熱可塑性エラストマー（ＴＰＥ）、又はこれらの混合物からなる群から選択される。最も好ましくは、キャップ及びパッケージング要素は、同じ材料から製造される。キャップ及びパッケージング要素は、任意の好適な技術を用いて製造され得るが、好ましくは同じ技術を用いて製造され、より好ましくは射出成形によって製造される。キャップ及びパッケージング要素の両方を射出成形で製造することの利点は、成形過程の精密度が両者の嵌合の改善をもたらし、結果として接続及び取り付けが改善されることである。
【００１９】
代替実施形態において、パッケージング要素は、容器に取り付けられるのに望ましい別の要素であり得る。本出願人は、ラベルデバイス、バンドリングデバイス、又はハンドルデバイスを取り付けるために本システムを使用することを想定している。ラベルデバイス（１３）（図５）は、取り付けシステムの必要な部分、並びに内面、外面、及び側壁を提供するラベルからなる。この実施形態では、側壁が薄い可能性があることは明らかである（例えば、紙又は厚紙の幅）。取り付けシステムの一部は、キャップ（２）に取り付けられることができるように、ラベルの内面に取り付けられる。ラベルデバイスは、紙、厚紙、プラスチック、又はこれらの混合物などの任意の好適な材料から製造され得る。ラベルデバイスはまた、無料サンプル製品又はその他の注意喚起デバイスなどの販売促進ツールを含んでもよい。ラベルデバイスの除去力は、容量分配容器の除去力よりも大きいのが好ましく、したがって、好ましくは３〜４０Ｎ、より好ましくは１０〜３０Ｎの範囲内である。
【００２０】
バンドリングデバイスは、２個以上の容器一緒に販売することができるように、それらを一緒に取り付けるために使用される。この実施形態では、パッケージング要素は、２つ以上の取り付け部品を備えている。次に、取り付け部品は、２つ以上の容器のキャップ上の連係部品に接続され、２つのパッケージングアセンブリを一緒に保持する。バンドリングデバイスは、必要性に合う任意の適切な材料で製造され得る。バンドリングデバイスは、プラスチックを使用して製造されるのが好ましく、より好ましくはポリプロピレン、ポリエチレン、ポリウレタン及びこれらの混合物である。
【００２１】
ハンドルデバイスは、１つ以上の取り付け部品とハンドル部分とを含む。該デバイスは、２つ以上のパッケージを一緒に取り付けることができるように、２つ以上の取り付け部品を含んでもよい。この実施形態では、溝及び突起の係止システムは、より頑丈である必要がある。これは、スナップ嵌めアセンブリ上のビードを幅広にすることにより、又はフックシステムを用いることにより達成され得る。バンドリングデバイス及びハンドルデバイスの除去力は、好ましくは３０Ｎ〜１５０Ｎ、より好ましくは３０〜１２０Ｎである。明らかに、より重い容器にはより大きな除去力が必要である。
【００２２】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【図１】
0003196481.tif 000003
【図２】
0003196481.tif 000004
【図３】
0003196481.tif 000005
【図４】
0003196481.tif 000006
【図５】
0003196481.tif 000007